(57)【要約】      （修正有）【課題】尿失禁パッドの吸水布と保水布と防水布の裁断面及びミシン針の縫い目から尿が滲み出るのを防止する尿失禁パッドを提供する。【解決手段】防水布４と吸水布と保水布を積層し、Ｒ側、Ｅ側の両端に防水布４を縫着する。縫着したあと、裏返すことによってＲ辺、Ｅ側の裁断面とミシン針の縫い目が表出しない。Ｆ側、Ｅ側の両端の裁断面は表出している。Ｆ側、Ｅ側の両端の吸水布２面に短防水布６を縫合し裏面に廻し込むと裁断面は被われる。裏面防水布４には縫合した縫い目が表出している。ミシン針の縫い目の上に両面熱接着テープ７をセットし、Ｆ側、Ｆ側辺の側の廻した短防水布６と、裏面防水布４を重ねて接着することで周縁を防水布４・短防水布６で被って裁断面と縫い目が表出しない構造である。【選択図】図１７
0003220848.tif 000002
【実用新案登録請求の範囲】
【請求項１】
保水布を含む複数の布であって、所定方向に積層された複数の布と、前記複数の布の端辺から所定幅離れたラインを縫着する縫着材と、前記複数の布の端辺を、肌側から肌側と反対側にまたがるように被覆し、かつ最も前記反対側の布に縫着されている縫着材を被覆する防水布とを含む尿失禁パッド。
【請求項２】
前記防水布が、前記複数の布に前記縫着材を介して前記肌側から取り付けられており、取り付けられた前記防水布が、前記端辺を介して前記反対側に折り返された状態で、肌側と反対側の前記布に取り付けられている、請求項１に記載の尿失禁パッド。
【考案の詳細な説明】
【技術分野】
【０００１】尿漏れ対策に用いられる尿失禁パッドである。
【背景技術】
【０００２】  従来、失禁対応用として販売されている失禁用部材は図１、図２に示すように肌側に面する順に、吸汗・拡散・速乾性織物である吸水布と高吸収・高吸湿繊維である保水布と防水布で構成されている。これらの部材をショーツのクロッチ部に失禁対応として縫合するだけでは、部材の周縁の裁断面及びミシン針の縫い目から尿が滲み出て下着本体、外衣まで達してしまう。【０００３】  前記の部材の裁断面からの尿漏れを防ぐ目的で図３、図４に示すように周縁を防水テ−プで挟み込んで作った尿漏れ失禁パッドをショーツのクロッチ部の肌側面に設けて失禁ショーツとするのが一般である。この失禁パッドの四角はショーツ本体に縫い繋がっているので宙吊りになっている。パッドの周縁を防水テープで挟み込んでもミシン針の縫い目から尿は滲み出てしまう。
【先行技術文献】
【特許文献１】登録実用新案第３１１２７１８号
【特許文献２】登録実用新案第３１６１４２１号
【考案の概要】
【考案が解決しようとする課題】
【０００４】  上記いずれの場合も裁断面及びミシン針の縫い目からの尿漏れは防げず日常生活での外出、遠出の時は尿漏れが外衣に滲み出るのではないかと大きなストレスを持ってしまう。【０００５】  本考案は、尿失禁パッドの裁断面やミシン針の縫い目から尿が滲み出ることを抑制または防止できる尿失禁パッドを提供することである。
【課題を解決するための手段】
【０００６】  前記の目的を達成するための請求項１に記載の考案は、保水布を含む複数の布であって、所定方向に積層された複数の布と、前記複数の布の端辺から所定幅離れたラインを縫着する縫着材と、前記複数の布の端辺を、肌側から肌側と反対側にまたがるように被覆し、かつ最も前記反対側の布に縫着されている縫着材を被覆する防水布とを含む尿失禁パッドである。【０００７】  また請求項２に記載の考案は、前記防水布が、前記複数の布に前記縫着材を介して前記肌側から取り付けられており、取り付けた前記防水布が、前記端辺を介して前記反対側に折り返された状態で、肌側と反対側の前記布に取り付けられている、請求項１に記載の尿失禁パッドである。
【考案の効果】
【０００８】  上述の様に、尿失禁パッドの周縁裁断面とミシン針の縫い目が防水布によって被覆されるので、尿が滲み出ず下着、外衣まで染み出る不安を解決できる。また、反対側の布に縫着された防水布の面積を大きくすることで貯尿量を増すことができる。本考案の尿失禁パッドは、ショーツ、パンツに縫着して使用される。
【図面の簡単な説明】
【０００９】
【図１】  従来の失禁ショーツのクロッチ部を示す図である。
【図２】  図１をイ−イから見た断面図である。
【図３】  従来の失禁ショーツのクロッチ部を示す図です。
【図４】  図３をロ−ロから見た断面図である。
【図５】  尿失禁パッドの平面図である。
【図６】  尿失禁パッドの下面図である。
【図７】  防水布と吸水布と保水布とを積層した状態を示す図である。
【図８】  図７をハ−ハから見た断面図である。
【図９】  吸水布・保水布の一辺（Ｒ側辺）に防水布を縫着した状態を示す図である。
【図１０】  図９を二−二から見た断面図である。
【図１１】  吸水布・保水布の二辺（Ｒ側辺、Ｌ側辺）に縫着した状態を示す図である。
【図１２】  図１１をホ−ホから見た断面図である。
【図１３】  図１１に示す状態から防水布を裏返した吸水布上面図である。
【図１４】  図１３をヘ−ヘから見た断面図である。
【図１５】  図１３のＦ側辺とＥ側辺に短防水布を縫着した状態を示す図である。
【図１６】  図１５をト−トから見た断面図である。
【図１７】  図１５のＥ側の防水布の裏面に表出してる縫い目上に両面熱接着テープをセットした状態を示す図である。
【図１８】  図１７をチーチから見た下面図である。
【図１９】  図１７のＦ辺およびＥ辺が熱圧着され、裁断面、縫い目が表出していない状態を示す図である。
【図２０】  図１９をリーリから見た断面図である。
【図２１】  本考案のパッドを適用した尿失禁パッドである。
【図２２】  本考案のパッドを適用した失禁ショーツである。
【考案を実施するための形態】
【００１０】  以下、本考案の尿失禁パッド１について説明する。図５は、尿失禁パッド１の平面図である。図６は、尿失禁パッド１の下面図である。尿失禁パッド１は、図２１及び図２２に示すようにショーツやパンツ等の下着に装着された状態で使用される。使用時に使用者の肌に当たる側を上側として以下説明する。
【００１１】  尿失禁パッド１は、上下方向に積層された複数の布を含む。複数の布は、吸水布２と、保水布３と、防水布４と、短防水布６とを含む。この実施形態では、各布２，３，４，６は１枚の布である。
【００１２】  前記の吸水布２は、メェシュ状で吸汗・拡散・速乾性織物の生地である。
【００１３】  前記の保水布３は、高吸収・高吸湿繊維の不織布である。
【００１４】  前記の防水布４と短防水布６は、ポリエステル繊維、ポリウレタンフィルム製である。
【００１５】  この実施形態では；吸水布２および保水布３が上側の順で配置されている。そして、吸水布２および保水布３の長手側の側辺（Ｌ側辺およびＲ側辺）が防水布４によって被覆されている。また、吸水布２および保水布３の短手側の側辺（Ｆ側辺およびＥ側辺）が短防水布６によって被覆されている。
【００１６】  より具体的には、吸水布２および保水布３の長手側の各側辺（Ｌ側辺およびＲ側辺）には、上側から縫着材によって縫着されている。縫着材によるミシン目５（縫い目）は、吸水布２および保水布３の長手側の各側辺に沿って直線状に延びている。
【００１７】  縫着材によるミシン目は、長手側の各側辺と平行かつ、当該各側辺から所定の間隔を隔てたラインを縫着している。防水布４の左右の両端が吸水布２の上面に縫着されている。防水布４の左右の両端を防ぐ部分は、防水布４の下面側に位置している。すなわち、防水布４が長手側の各側辺を上側から下側にまたがるように被覆している。
【００１８】  より具体的には吸水布２の上面に取り付けられた防水布４が、長手側の各側辺を介して保水布３の下面側に折り返されている。
【００１９】  図１９および図２０に示すように、短防水布６は、吸水布２および保水布３の短手側の各側辺（Ｅ側辺およびＦ側辺）に、上側から縫着材によって縫着されている。縫着材によるミシン目５（縫い目）は、吸水布２および保水布３の短手側の各側辺に沿って直線状に延びている。
【００２０】  縫着材によるミシン目５は、短手側の各側辺と平行かつ当該各側辺から所定の間隔を隔てたラインを縫着している。短防水布６の上面が、防水布４左右両端を介して吸水布２の上面に縫着されている。短防水布６の下面が、上面側の縫着材によるミシン目５を覆うように両面熱接着テープ７によって保水布３の下面に接着されている。
【００２１】  すなわち、短防水布６が、短手側の各側辺を上側からＦ側にまたがるように被覆している。より具体的には、吸水布２の上面に取り付けられた短防水布６が、短手側の各側辺を介して保水布３の下面側に折り返されている。
【００２２】  以下、尿失禁パッド１の製造方法について説明する。図７、図８に示すように尿失禁パッドは吸水布２、保水布３、防水布４はそれぞれ長方形であるが、吸水布２と保水布３は同じサイズで防水布４はそれらより大きいサイズである。図７、図８に示すように、防水布４・吸水布２・保水布３の順に積層する。
【００２３】  図９の防水布４、吸水布２、保水布３は、図１０に示すようにＲ側辺を重ねて揃え、１ｃｍ程の縫い代の位置を縫着する。また同様にＬ側辺も図１１、図１２に示すように防水布４、吸水布２、保水布３を重ねて揃え、１ｃｍ程の縫い代の位置を縫着する。
【００２４】  Ｒ側，Ｌ側の２辺を縫着することで防水布４は、吸水布２保水布３より大きい分、図１１、図１２に示すように弛みがある。図１２のＲ側，Ｌ側の防水布４と保水布３の面にミシン針の縫い目５が表出している。
【００２５】  図１３は、前記の状態で吸水布２の面と弛んだ防水布４の面を裏返した図である。吸水布２の表面積は防水布４の弛んだ分だけ減少する。図１４は裏返ったことで吸水布２の面と防水布４の面にミシン針の縫い目５が表出していない。
【００２６】  図１３は、Ｆ側とＥ側の裁断面は表出している。図１５に示すようＦ側、Ｅ側の吸水布２、防水布４の裁断面の上部に短防水布６をセットし縫着する。縫着する縫い目の位置は図１１で吸水布２の面に表れた防水布４の縫い代と同じ縫い幅で１ｃｍ程が望ましい。吸水布２の面に表れた防水布４の面積を増したら貯尿量が増す。短防水布６の長さはパッドの幅より１ｃｍ又は２ｃｍ長くてよい。この長さは尿失禁パッドの台布、失禁ショ−ツ、失禁パンツに縫着するのに必要である。
【００２７】  図１７は、前記図１５で縫着した短防水布６を裏側の防水布４に廻すと肌側の吸水布２のミシン針の縫い目は表出しない。Ｅ側裏面の防水布４に表出したミシン針の縫い目５上に両面熱接着テープ７をセットし、熱接着してミシン針の縫い目５を塞ぐ。防水布４のミシン針の縫い目５を塞いだ両面熱接着テープ７の離型紙を剥がし、裏に廻った短防水布６の端辺を載せて熱圧力を掛け防水布４と接着させる。Ｆ側の短防水布６も同じ工程で接着する。
【００２８】  図１９は、前記のＦ側とＥ側の断面を短防水布６で熱圧着した図であり、吸水布２と保水布３と防水布４の裁断面及びミシン針の縫い目５は表出していない。図２０の断面図に示すように、防水布４と短防水布６が両面熱接着テープ７で接着されることでパッド周縁の裁断面とミシン針の縫い目５が表出しない状態になる。
【００２９】以上のような本考案の尿失禁パッドは、図２１、図２２に示すようショーツ、パンツ等の下着に装着して使用する。
【００３０】図２１は、本考案の尿失禁パッド１を羽付きの台布に縫合した図である。本考案の尿失禁パッド１の四角が縫合されている。この台布は、一般の布生地でもよく、防水機能のある防水布でもよい。台布にプリントを施すことで気分もリラックスする。また、洗濯して干す時も一般の洗濯物に混ざって違和感は無い。
【００３１】図２２は、本考案の尿失禁パッド１をショーツのクロッチ部に縫合した図である。
【符号の説明】
【００３２】１  尿失禁パッド
２  吸水布
３  保水布
４  防水布
５  ミシン針の縫い目
６  短防水布
７  両面熱接着テープ
８  身頃生地
９  伸縮性テープ
１０  防水テープ
Ｒ  右側
Ｌ  左側
Ｆ  前側
Ｅ  後ろ側
イ、ロ、ハ、ニ、ホ、ヘ、ト、千、リ断面図の位置
【図１】
0003220848.tif 000003
【図２】
0003220848.tif 000004
【図３】
0003220848.tif 000005
【図４】
0003220848.tif 000006
【図５】
0003220848.tif 000007
【図６】
0003220848.tif 000008
【図７】
0003220848.tif 000009
【図８】
0003220848.tif 000010
【図９】
0003220848.tif 000011
【図１０】
0003220848.tif 000012
【図１１】
0003220848.tif 000013
【図１２】
0003220848.tif 000014
【図１３】
0003220848.tif 000015
【図１４】
0003220848.tif 000016
【図１５】
0003220848.tif 000017
【図１６】
0003220848.tif 000018
【図１７】
0003220848.tif 000019
【図１８】
0003220848.tif 000020
【図１９】
0003220848.tif 000021
【図２０】
0003220848.tif 000022
【図２１】
0003220848.tif 000023
【図２２】
0003220848.tif 000024